(57)【特許請求の範囲】
【請求項１】
遊技球を案内する導電性のレールおよびコーナー飾りが前面に取付けられる透明樹脂板と、該透明樹脂板の後面に組付けられる裏ユニットとを備えた透明遊技盤が中枠に嵌め込まれた遊技機であって、
前記コーナー飾りに設けられ、該コーナー飾りを透明樹脂板に取付けたときに前記レールの前端縁に弾力的に接触するよう前後方向に弾性変形可能な前方接触部およびコーナー飾りの後面に臨む後方接触部を備えた導電性の第１アース部材と、
前記透明樹脂板の側縁部に、側方に開放するように設けられ、前記第１アース部材の後方接触部を透明樹脂板の後面側に露出させる切欠部と、
前記裏ユニットの側縁部に設けられ、該裏ユニットの前側に露出して前後方向に弾性変形可能な前方接触部および該裏ユニットの後側に露出して前後方向に弾性変形可能な後方接触部を備えた導電性の第２アース部材と、
前記中枠を構成する側枠部材に設けられてアースされ、該中枠に対して透明遊技盤を嵌め込んだ際に、前記第２アース部材の後方接触部が弾力的に接触する導電性の被接触部とを備え、
前記第２アース部材は、基部と、該基部の前側に対向する前記前方接触部と、該基部の後側に対向する前記後方接触部とが、金属片を折曲して一体形成されると共に、前方接触部との間に裏ユニットを側方から挟んだ基部を該裏ユニットの後面に固定することで取り付けられ、
前記第１アース部材の後方接触部および第２アース部材の前方接触部は、前記裏ユニットを透明樹脂板に組付けた際に、前記切欠部に臨むと共に弾力的に接触するよう構成される
ことを特徴とする遊技機。
【請求項２】
前記透明樹脂板の前面であって遊技球が流下する遊技領域に導電性の役物が設けられ、該透明樹脂板の後面に露出する後方接触部を備えた導電性の第３アース部材が前記役物に電気的に接続した状態で配設されると共に、前記第２アース部材に電気的に接続する導電性の第４アース部材を、その前方接触部が前記裏ユニットの前面に臨むよう配設し、第３アース部材の後方接触部および第４アース部材の前方接触部は、少なくとも何れか一方が前後方向へ弾性変形可能で、透明樹脂板に裏ユニットを組付けた際に相互に弾力的に接触するようになっている請求項１記載の遊技機。
【請求項３】
前記裏ユニットの前面に、前記第２アース部材の前方接触部を少なくとも上下側および裏ユニットの内側から覆う前方保護壁が前方へ突出するよう設けられると共に、該裏ユニットの後面に、第２アース部材における後方接触部を少なくとも上下側および裏ユニットの内側から覆う後方保護壁が設けられ、前記透明樹脂板に裏ユニットを組付けた際に、前方保護壁が前記切欠部に収容されるようにした請求項１または２記載の遊技機。
【発明の詳細な説明】
【技術分野】
【０００１】
この発明は、透明樹脂板から構成される透明遊技盤が中枠に嵌め込まれた遊技機に関するものである。
【背景技術】
【０００２】
代表的な遊技機であるパチンコ式遊技機において、アクリル板やポリカーボネート板等からなる透明樹脂板と、該透明樹脂板の裏面に設けられる裏ユニットとから構成された透明遊技盤を備えたものがある(例えば、特許文献１参照)。前記裏ユニットの前面には、ＬＥＤランプや図柄等の装飾部材が配設され、これら装飾部材を前記透明樹脂板を介して前側(遊技者側)から視認し得るようになっている。また、透明樹脂板の前面側にも、各種の役物や遊技釘が設けられ、遊技球が流下する遊技領域を構成している。
【特許文献１】特開平１０−１７９８５４号公報
【発明の開示】
【発明が解決しようとする課題】
【０００３】
ところで、木製合板の表面に化粧板を貼り合わせて構成される通常の遊技盤に比べ、前記透明遊技盤は遊技球との摩擦係数が大きく、当該摩擦により遊技中に静電気が発生し易い性質がある。そして、静電気は図柄表示装置等の液晶画面に悪影響を与えるため、例えば、図柄表示装置の画像が乱れたり、該表示装置の表示制御基板が暴走したりする等の弊害が生じてしまう。
【０００４】
そこで本発明は、従来の遊技機に内在する前記問題に鑑み、これを好適に解決するべく提案されたものであって、透明遊技盤に生じた静電気を効果的に逃がし、該静電気に起因する図柄表示装置等への悪影響を防止し得る遊技機を提供することを目的とする。
【課題を解決するための手段】
【０００５】
前記課題を克服し、所期の目的を達成するため、請求項１に係る遊技機は、
遊技球を案内する導電性のレール(48)およびコーナー飾り(62c)が前面に取付けられる透明樹脂板(42)と、該透明樹脂板(42)の後面に組付けられる裏ユニット(44)とを備えた透明遊技盤(16)が中枠(14)に嵌め込まれた遊技機であって、
前記コーナー飾り(62c)に設けられ、該コーナー飾り(62c)を透明樹脂板(42)に取付けたときに前記レール(48)の前端縁に弾力的に接触するよう前後方向に弾性変形可能な前方接触部(60c)およびコーナー飾り(62c)の後面に臨む後方接触部(60a)を備えた導電性の第１アース部材(60)と、
前記透明樹脂板(42)の側縁部に、側方に開放するように設けられ、前記第１アース部材(60)の後方接触部(60a)を透明樹脂板(42)の後面側に露出させる切欠部(58)と、
前記裏ユニット(44)の側縁部に設けられ、該裏ユニット(44)の前側に露出して前後方向に弾性変形可能な前方接触部(66a)および該裏ユニット(44)の後側に露出して前後方向に弾性変形可能な後方接触部(66b)を備えた導電性の第２アース部材(66)と、
前記中枠(14)を構成する側枠部材(32)に設けられてアースされ、該中枠(14)に対して透明遊技盤(16)を嵌め込んだ際に、前記第２アース部材(66)の後方接触部(66b)が弾力的に接触する導電性の被接触部(40)とを備え、
前記第２アース部材(66)は、基部(66c)と、該基部(66c)の前側に対向する前記前方接触部(66a)と、該基部(66c)の後側に対向する前記後方接触部(66b)とが、金属片を折曲して一体形成されると共に、前方接触部(66a)との間に裏ユニット(44)を側方から挟んだ基部(66c)を該裏ユニット(44)の後面に固定することで取り付けられ、
前記第１アース部材(60)の後方接触部(60a)および第２アース部材(66)の前方接触部(66a)は、前記裏ユニット(44)を透明樹脂板(42)に組付けた際に、前記切欠部(58)に臨むと共に弾力的に接触するよう構成されることを特徴とする。
請求項１の発明によれば、透明遊技盤を中枠に対して嵌め込むだけで、第１アース部材および第２アース部材が電気的に接続され、透明遊技盤のレールをアース接続できる。従って、レールに生じた静電気を逃がすことができ、例えば図柄表示装置に静電気が影響するのを防止し得る。また、第１アース部材の前方接触部は、前後方向に弾性変形可能としたので、コーナー飾りを透明樹脂板に取付けた際に、該前方接触部をレールに弾力付勢した状態で確実に接触することができる。しかも、前方接触部の弾力付勢により、両者の接触状態は維持される。また、第２アース部材の後方接触部は、前後方向に弾性変形可能としたので中枠の被接触部に弾力付勢された状態で確実に接触することができ、しかも、その接触状態は安定的に維持される。更に、第１アース部材の後方接触部および第２アース部材の前方接触部は、少なくとも何れか一方を前後方向に弾性変形可能としたので、両者を弾力付勢された状態で確実に接触させることができ、接触状態も良好に維持される。
【０００６】
請求項２に係る遊技機では、前記透明樹脂板(42)の前面であって遊技球が流下する遊技領域(50)に導電性の役物(84)が設けられ、該透明樹脂板(42)の後面に露出する後方接触部(68a)を備えた導電性の第３アース部材(68)が前記役物(84)に電気的に接続した状態で配設されると共に、前記第２アース部材(66)に電気的に接続する導電性の第４アース部材(70)を、その前方接触部(70a)が前記裏ユニット(44)の前面に臨むよう配設し、第３アース部材(68)の後方接触部(68a)および第４アース部材(70)の前方接触部(70a)は、少なくとも何れか一方が前後方向へ弾性変形可能で、透明樹脂板(42)に裏ユニット(44)を組付けた際に相互に弾力的に接触するようになっている。
請求項２の発明によれば、裏ユニットを透明樹脂板の裏面に組付けるだけで、該透明樹脂板の表面に設けられた役物をアース接続し得る。また、第３アース部材の後方接触部および第４アース部材の前方接触部は、少なくとも何れか一方を前後方向に弾性変形可能としてので、両者を弾力付勢された状態で確実に接触させることができ、接触状態も良好に維持される。
【０００７】
請求項３に係る遊技機では、前記裏ユニット(44)の前面に、前記第２アース部材(66)の前方接触部(66a)を少なくとも上下側および裏ユニット(44)の内側から覆う前方保護壁(74)が前方へ突出するよう設けられると共に、該裏ユニット(44)の後面に、第２アース部材(66)における後方接触部(66b)を少なくとも上下側および裏ユニット(44)の内側から覆う後方保護壁(76)が設けられ、前記透明樹脂板(42)に裏ユニット(44)を組付けた際に、前方保護壁(74)が前記切欠部(58)に収容されるようにした。
請求項３の発明によれば、第２アース部材の前方接触部および後方接触部を、夫々前方保護壁および後方保護壁で囲うようにしたので、裏ユニットを透明樹脂板に組付ける際に、前後に突出する第２アース部材を作業者が引っ掛けてしまうのを防止し得る。従って、第２アース部材の前後の接触部が変形して、該接触部が対応する第１アース部材の後方接触部および中枠の被接触部に対して弾力的に接触しなくなり、接触不良を起こすと云った事態を回避し得る。
【発明の効果】
【０００８】
本発明に係る遊技機によれば、透明遊技盤を中枠に対して嵌め込むだけで、レールに生じた静電気を逃がすことができる回路を簡単に形成でき、静電気に起因する悪影響の発生を防止し得る。
【発明を実施するための最良の形態】
【０００９】
次に、本発明に係る遊技機につき、好適な実施例を挙げて、添付図面を参照しながら、以下詳細に説明する。なお実施例では、遊技球を使用して遊技を行なう遊技機について説明する。また、以下の説明において前・後および左・右とは、特に断りのない限り、遊技機を正面側(遊技者側)から見た場合において指称するものとする。
【実施例】
【００１０】
実施例に係る遊技機１０は、図１に示すように、矩形枠状に形成されて図示しない遊技店の設置枠台に固定される外枠１２の開口前面側に、透明遊技盤１６(図５参照)を保持した中枠１４が開閉および着脱可能に組付けられている。この中枠１４の前面側には、該中枠１４に保持した透明遊技盤１６を透視保護するガラス板８６ａを備えた前枠８６が開閉可能に組付けられると共に、該前枠８６の下方に遊技球を貯留する下の球受け皿(図示せず)が開閉可能に組付けられる。なお、実施例では、前記前枠８６の下部位置に、遊技球を貯留する上の球受け皿(図示せず)が一体的に組付けられており、前枠８６の開閉に合わせて上の球受け皿も一体的に開閉するよう構成される。また、図２に示すように、前記中枠１４の裏側には、前記透明遊技盤１６の裏側を覆う保護カバー３８が後述する軸受部４０および支軸３８ａからなる枢支手段を介して開閉可能に枢支されている。
【００１１】
前記中枠１４は、上縁をなす上枠部材８８と、下縁をなし、スピーカ９０や打球発射装置９２等を設置する設置部材として機能する下枠部材９４と、左側縁(図２では右)をなす左枠部材３０と、右側縁(図２では左)をなす右枠部材(側枠部材)３２とから構成されて、これら上下左右の枠部材８８,９４,３０,３２を組付けた際に、全体が前記外枠１２の開口領域に整合する大きさに形成される。ここで、実施例では、前記上下の枠部材８８,９４は合成樹脂成形されると共に、左右の枠部材３０,３２はアルミ等の導電性金属材により成形されて、中枠１４は全体として剛性を確保しつつ軽量化が図られている。そして、前記上下左右の枠部材８８,９４,３０,３２を組付けた際に前後に開口する開口領域２８(図１参照)に、前記透明遊技盤１６を設置するよう構成されている。前記左枠部材３０の前面には、保持具３４,３４が設けられると共に、右枠部材３２と上下の枠部材８８,９４とがなす隅部に固定装置３６,３６が設けられ、前記透明遊技盤１６を中枠１４に嵌め込む際に、該遊技盤１６の左側の側端部を保持具３４,３４で保持したもとで、透明遊技盤１６の右側の側端部を中枠１４側へ押し込むように回動させる。そして、透明遊技盤１６の右側の側端部を固定装置３６,３６で固定支持することで、該遊技盤１６が前記中枠１４の開口領域２８に着脱自在にセットされるようになっている。
【００１２】
前記右枠部材３２の後端部には、上下方向に離間する３箇所に、前記保護カバー３８を開閉可能に枢支する軸受部４０が形成されている(図３参照)。各軸受部４０には、前記右枠部材３２の後端部から後方へ向けて略水平に突設された突出片に、上下方向に貫通する軸孔４０ａを穿設して形成されている。そして、この軸孔４０ａに保護カバー３８の右側部に設けた下方に突出する支軸３８ａを夫々挿通することで、保護カバー３８を開閉自在に支持するようになっている(図２参照)。なお、後述するように、３つの軸受部４０のうち最上位の軸受部(被接触部)４０は、透明遊技盤１６を中枠１４に嵌め込んだ際に、第２アース部材６６(後述)と接触するよう構成される(図１０(ｂ)参照)。
【００１３】
前記上枠部材８８の裏側には、遊技球を貯留可能な球タンク９６や、該球タンク９６に貯留した遊技球を一列に整列するタンクレール９８が設けられると共に、前記下枠部材９４の裏側には、上下の球受け皿や球回収樋等に連通する各種の球流通路が形成された機能部材１００が配設してある。この機能部材１００には、遊技機１０の全体を制御するメイン制御装置１０２や、外部から供給された電源を各制御装置１０２や各種装置に分配供給する電源制御装置１０４、その他の各種中継基板１０６が配設されている。なお、前記電源制御装置１０４の下部からアース線１０８が導出しており、該アース線１０８の他端は図示しない遊技店の島にアース接続されている。また、前記電源制御装置１０４は、前記中枠１４の右枠部材３２に図示しないリード線を介して電気的に接続している。すなわち、前記中枠１４は、前記電源制御装置１０４を介して全体としてアースされている。
【００１４】
前記透明遊技盤１６は、図４に示すように、アクリル板やポリカーボネート板等の光透過性を備えた樹脂から構成される透明樹脂板４２と、該透明樹脂板４２の後面に組付けられる裏ユニット４４とから基本的に構成され、前記中枠１４の開口領域２８内に適合する略正方形に成形されている。透明樹脂板４２は、中央部に大形の開口部４６が開設され、該開口部４６の内縁部に沿ってセンター役物８４(図９参照)が配設されている。そして、このセンター役物８４の中央部に開口する画面用開口部８４ａを介して、図示しない図柄表示装置の液晶画面が前面に臨むようになっている。また、透明樹脂板４２の右側縁(図４では、左方)には、右方に開放する切欠部５８が形成され、該切欠部５８に後述する第１アース部材６０の後方接触部６０ａが臨むようになっている(図８参照)。透明樹脂板４２には、図５および図１２に示すように、その前面に遊技球を案内する内レール４７と外レール(レール)４８が半円弧状に配設され、両レール４７,４８が囲う前記センター役物８４を含めた内部領域が所要のゲームを展開し得る遊技領域５０とされている。この遊技領域５０には、複数の遊技釘が設けられると共に、始動入賞装置５２や特別入賞装置５４、装飾部材５６等の役物が透明樹脂板４２の前面に設けられている。なお、これら役物はメッキ処理が施されて鮮やかな装飾効果が付与されると共に、導電性を有している。また、前記外レール４８も、ステンレス等の金属を帯状に成形して構成されて導電性を備えている。
【００１５】
前記透明樹脂板４２において外レール４８の外側の領域には、当該領域を前面から覆うコーナー飾り６２が設けられている。このコーナー飾り６２は、図５に示すように、左上側の第１飾り６２ａ、左下側の第２飾り６２ｂおよび右側の第３飾り６２ｃから構成されている。各第１〜第３飾り６２ａ,６２ｂ,６２ｃは、前記遊技領域５０側に臨む内周面が前記外レール４８に沿って湾曲形成されている。第３飾り６２ｃには、図６に示すように、外レール４８の終端４８ａを収容可能な収容部６４が後方に向けて凹設されている。そして、この収容部６４に、外レール４８に生じた静電気をアースするための第１アース部材６０がネジ８２を介して取付けられている。
【００１６】
第１アース部材６０は、導電性を備えた金属片を折曲成形して構成され、上下に延在する基部６０ｂの上端に、左方に延出する前方接触部６０ｃが形成されている。前記基部６０ｂは、上部側が後方に向けて傾斜しており、第３飾り６２ｃを透明樹脂板４２に取付ける前の状態において、前記前方接触部６０ｃは、第３飾り６２ｃにおける収容部６４に対応する裏面から後方側へ離間した状態で前後方向に弾性変形可能に構成されている(図７(ａ)の二点鎖線参照)。そして、図１０(ａ)に示すように、第３飾り６２ｃを透明樹脂板４２に取付けた際に、前方接触部６０ｃの後面が前記外レール４８の前端縁に当接し、第１アース部材６０の基部６０ｂが前方へ弾性変形して垂直姿勢(図７(ａ)の二点鎖線参照)となる。従って、前記前方接触部６０ｃは、外レール４８に対し弾性により後方付勢された状態で当接するよう構成される。また、基部６０ｂの下部側は、後方に突出するよう折曲され、第３飾り６２ｃの右側縁後面に臨む矩形状の後方接触部６０ａが形成されている。この後方接触部６０ａは、図８に示すように、第３飾り６２ｃを透明樹脂板４２に取付けた際に、前記切欠部５８を介して透明樹脂板４２の後面に露出し、後述する第２アース部材６６と接触するよう構成される。なお、この後方接触部６０ａは、第２アース部材６６に接触した際に弾性変形することはなく、従って、接触時に後方へ付勢されることはない。
【００１７】
図８および図９に示すように、メッキ処理が施された前記センター役物８４の後面には、導電性の金属片からなる第３アース部材６８が電気的に接触した状態で取付けられており、該センター役物８４に生じた静電気を第３アース部材６８を介してアースし得るようになっている。この第３アース部材６８の後部には、前後方向に弾性変形可能に構成されて透明遊技盤１６の後面から後方へ突出する後方接触部６８ａが折曲成形されている。すなわち、図９に示すように、この後方接触部６８ａは、センター役物８４の内側から外方(右方)に向けて後方へ僅かに傾斜している。そして、透明樹脂板４２に裏ユニット４４を組付けた際に、この後方接触部６８ａが後述する第４アース部材７０に弾性変形した状態で接触するようになっている(図１２参照)。
【００１８】
前記裏ユニット４４は、透明樹脂板４２と略同一形状に樹脂成形された枠状体であって、図１２に示すように、該透明樹脂板４２の後面に整合するよう組付けられる。図１１に示すように、裏ユニット４４の前面には、所要の視覚効果が付与された複数の後方装飾部材７２が設けられ、裏ユニット４４を透明樹脂板４２に組付けた際に、該透明樹脂板４２を介して後方装飾部材７２を前面から視認し得るようになっている。また、裏ユニット４４の右側縁部には、前記第１アース部材６０に電気的に接続し得る第２アース部材６６がネジ８０(図７参照)を介して取付けられている。この第２アース部材６６は、導電性の金属片を図示形状の如く連続コの字状に折曲成形したものであって、その端部が弾性変形可能に構成される。すなわち、第２アース部材６６は、前記ネジ８０によって裏ユニット４４にネジ止めされる基部６６ｃと、該基部６６ｃの前端に設けられ、裏ユニット４４の前面に臨む前方接触部６６ａと、基部６６ｃの後端に設けられ、裏ユニット４４の後面に臨む後方接触部６６ｂとから構成される。
【００１９】
前記第２アース部材６６の前方接触部６６ａは、基部６６ｃの前端から裏ユニット４４の内側方向(左方向)へ折曲げられて矩形薄板状に形成され、裏ユニット４４を透明樹脂板４２に組付ける前の状態において、前方へ僅かに突出するよう傾斜して前後方向に弾性変形可能になっている(図１０(ｂ)の二点鎖線参照)。そして、前記裏ユニット４４を透明樹脂板４２に組付けた際に、第２アース部材６６の前方接触部６６ａが前記第１アース部材６０の後方接触部６０ａに弾性変形した状態で当接し、該前方接触部６６ａは、弾性により前方へ付勢された状態となって後方接触部６０ａとの接触が維持されるよう構成される。
【００２０】
一方、前記第２アース部材６６の後方接触部６６ｂは、基部６６ｃの後端から裏ユニット４４の外側方向(右方向)へ折曲げられて矩形薄板状に形成され、透明遊技盤１６を中枠１４に嵌め込む前の状態において、裏ユニット４４の後面から後方へ突出するよう傾斜して前後方向に弾性変形可能になっている(図１０(ｂ)の二点鎖線参照)。そして、透明遊技盤１６を中枠１４に嵌め込んだ際に、第２アース部材６６の後方接触部６６ｂが右枠部材３２の前記軸受部４０に弾性変形した状態で当接し、該後方接触部６６ｂは、弾性により後方に付勢されて軸受部４０との接触が維持される。
【００２１】
前記裏ユニット４４の前面には、前記第２アース部材６６の前方接触部６６ａを上下側および左側(裏ユニット４４の内側)から覆う前方保護壁７４が前方へ突出するよう形成されている。この前方保護壁７４は、裏ユニット４４を透明樹脂板４２に組付けた際に前記切欠部５８に収容されるようになっている。また、裏ユニット４４の後面には、前記第２アース部材６６の後方接触部６６ｂを上下側および左側(裏ユニット４４の内側)から覆う後方保護壁７６が後方へ突出して設けられている。なお、この後方保護壁７６は、透明遊技盤１６を中枠１４に嵌め込んだ際に、前記軸受部４０を後方の開口部から受け入れて、該軸受部４０と第２アース部材６６の後方接触部６６ｂとの接触を許容するようになっている。
【００２２】
図７(ａ)および図１１に示すように、前記裏ユニット４４は、前記第３アース部材６８に接触し得る導電性の第４アース部材７０を備えている。この第４アース部材７０は、裏ユニット４４の前面において、透明樹脂板４２に裏ユニット４４を組付けたときの前記第３アース部材６８の後方接触部６８ａが臨む位置に設けられている(図１２参照)。第４アース部材７０の前端部は前方接触部７０ａとされ、裏ユニット４４を透明樹脂板４２に組付けた際に、第３アース部材６８の後方接触部６８ａと第４アース部材７０の前方接触部７０ａとが接触するよう前方に突出している。また、第４アース部材７０は、図１１に示すように、リード線７８を介して前記第２アース部材６６に電気的に接続されている。すなわち、透明遊技盤１６を中枠１４に嵌め込んだ際に、第３アース部材６８および第４アース部材７０は、リード線７８を介して第２アース部材６６および軸受部４０との電気的な接続関係が構築されるようになっている。なお、実施例において第４アース部材７０は、裏ユニット４４の前面から所定高さで突出するボス部７０ｂの前端に前記リード線７８の一端を固定する為に螺挿された金属ネジで構成され、当該金属ネジの頭部が前記前方接触部７０ａとして機能する。また、前記リード線７８の他端は、前記第２アース部材６６を固定するネジ８０によって該第２アース部材６６に接続されている。
【００２３】
(実施例の作用)
次に、実施例に係る遊技機１０の作用について説明する。先ず始めに、第１アース部材６０を第３飾り６２ｃの収容部６４にネジ８２を螺挿して取付ける。第１アース部材６０の前方接触部６０ｃは、第３飾り６２ｃを透明樹脂板４２に取付ける前の状態において後方に傾斜した状態にある(図７(ａ)および図１０(ａ)の二点鎖線参照)。一方、第１アース部材６０の後方接触部６０ａは、第３飾り６２ｃの後面に露出した状態となる。次いで、第１〜第３飾り６２ａ,６２ｂ,６２ｃを、予め前記外レール４８が取付けられた透明樹脂板４２の前面に取付ける。すると、第１アース部材６０の前方接触部６０ｃは、透明樹脂板４２の前面に設けた外レール４８の前端縁に当接し、第１アース部材６０の基部６０ｂが前方へ弾性変形する(図７参照)。すなわち、図１０(ａ)に示すように、前方接触部６０ｃは後方へ付勢された状態となって外レール４８に弾力的に接触するので、両者は確実に接触することができ、しかも、その接触状態は好適に維持される。また、第１アース部材６０の後方接触部６０ａは、図８に示すように、透明樹脂板４２の切欠部５８を介して、該透明樹脂板４２の後面に臨む。
【００２４】
次に、後面に第３アース部材６８を取付けたセンター役物８４を、透明樹脂板４２の開口部４６に取付けることで、該第３アース部材６８の後方接触部６８ａが透明樹脂板４２の後面から後方へ突出する。また、裏ユニット４４の右側部に、ネジ８０を介して第２アース部材６６が取付けられる。このとき、前記リード線７８の他端もネジ８０によってネジ止めされ、該リード線７８と第２アース部材６６とが電気的に接続される。この状態において、第２アース部材６６の前方接触部６６ａは、裏ユニット４４の前面から前方へ突出すると共に(図１０(ｂ)の二点鎖線参照)、前記前方保護壁７４によって上下側および左側から囲繞される。一方、第２アース部材６６の後方接触部６６ｂは、裏ユニット４４の後面から後方へ突出すると共に(図１０(ｂ)の二点鎖線参照)、後方保護壁７６によって上下側および左側から囲繞される。更に、裏ユニット４４の前面には、第４アース部材７０が、その前方接触部７０ａを前面に臨ませた状態で設けられる。このとき、リード線７８の一端が第４アース部材７０(金属ネジ)によってネジ止めされ、第４アース部材７０は、リード線７８を介して前記第２アース部材６６に電気的に接続される。
【００２５】
次に、透明樹脂板４２の後面に裏ユニット４４を組付けて、透明遊技盤１６が完成される。このとき、図１０(ｂ)に示すように、第２アース部材６６の前方接触部６６ａが第１アース部材６０の後方接触部６０ａに当接し、該前方接触部６６ａが後方に弾性変形した状態となる。従って、第２アース部材６６の前方接触部６６ａは、第１アース部材６０の後方接触部６０ａに対し、自らの弾性により前方へ付勢された状態で確実に接触することができる。しかも、前方接触部６６ａの後方付勢により、該前方接触部６６ａと後方接触部６０ａとの接触状態は好適に維持される。
【００２６】
また、透明樹脂板４２の後面に臨む第３アース部材６８の後方接触部６８ａは、裏ユニット４４の前面に臨む第４アース部材７０の前方接触部７０ａに接触する。この場合においても、前記第３アース部材６８の後方接触部６８ａは、前方へ弾性変形した状態で第４アース部材７０に当接する(図１２参照)。従って、第３アース部材６８の後方接触部６８ａは、第４アース部材７０の前方接触部７０ａに対し、自らの弾性により後方へ付勢された状態で接触するので、両者は確実に接触することができ、しかも、その接触状態は好適に維持される。
【００２７】
次に、前記透明遊技盤１６を中枠１４の開口領域２８に嵌め込む。すなわち、透明遊技盤１６の左側の端部を前記保持具３４,３４で保持したもとで、該透明遊技盤１６の右側の端部を中枠１４側へ押し込むように回動させる。そして、透明遊技盤１６の右側の端部を前記固定装置３６,３６で固定保持することで、該透明遊技盤１６は中枠１４に対して位置決めセットされる。すると、図１０(ｂ)に示すように、前記中枠１４の右枠部材３２に設けられた軸受部４０に前記第２アース部材６６の後方接触部６６ｂが当接する。このとき、第２アース部材６６の後方接触部６６ｂは前方へ弾性変形した状態で軸受部４０に接触するので、該後方接触部６６ｂは、自らの弾性により後方へ付勢された状態となる。従って、第２アース部材６６の後方接触部６６ｂは、軸受部４０に確実に接触することができると共に、両者の接触状態は好適に維持される。
【００２８】
そして、透明樹脂板４２が中枠１４に嵌め込まれることで、外レール４８およびセンター役物８４に対するアースが達成される。すなわち、外レール４８については、第１アース部材６０および第２アース部材６６を介して中枠１４の軸受部４０に電気的な接続関係が構築される。従って、静電気の発生し易い透明樹脂板４２にあって、遊技中に生じた静電気を外レール４８を介して好適にアースすることができる。一方、センター役物８４については、第３アース部材６８、第４アース部材７０、リード線７８および第２アース部材６６を介して軸受部４０と電気的な接続が構築され、センター役物８４に生じた静電気についても好適にアースすることが可能となる。これにより、外レール４８やセンター役物８４に生じた静電気を好適に逃がし、例えば図柄表示装置に静電気が悪影響を及ぼすのを防止し得る。
【００２９】
また、実施例では、第２アース部材６６の前方接触部６６ａおよび後方接触部６６ｂを、夫々前方保護壁７４および後方保護壁７６で囲うようにしたので、裏ユニット４４を透明樹脂板４２に組付ける際に、前後に突出する接触部６６ａ,６６ｂを作業者が引っ掛けてしまうのを防止し得る。従って、第２アース部材６６の前後の接触部６６ａ,６６ｂが変形して、接触不良を起こすと云った事態を回避し得る。
【００３０】
なお、実施例では、第１アース部材６０の後方接触部６０ａは、第２アース部材６６の前方接触部６６ａとの接触時に、弾性変形して後方へ付勢される構成とはなっていない。しかしながら、第１アース部材６０の後方接触部６０ａを後方へ延出させて、第２アース部材６６の前方接触部６６ａとの接触時に前方へ弾性変形して後方付勢される構成としてもよい。
【００３１】
実施例では、第３アース部材６８の後方接触部６８ａが、第４アース部材７０の前方接触部７０ａとの接触時に、後方へ付勢される構成としたが、第４アース部材７０の前方接触部７０ａが前方へ付勢される構成としてもよい。例えば、第４アース部材７０を金属ネジではなく、第３アース部材６８の如く金属片から構成し、前後方向へ弾性変形し得るよう変更することが考えられる。すなわち、第３アース部材６８の後方接触部６８ａおよび第４アース部材７０の前方接触部７０ａは、接触時に、少なくとも一方が他方側へ付勢される構成となっていればよい。
【００３２】
実施例では、透明遊技盤１６を回動させて中枠１４に嵌め込む構成としたが、透明遊技盤１６を中枠１４に対して、そのまま後方へ押し込んで取付ける構成であってもよい。また、実施例では、センター役物８４に第３アース部材６８を取付けたが、アースする役物としては、始動入賞装置５２や特別入賞装置５４、装飾部材５６等、流下する遊技球と接触して静電気を発生し得る役物であれば、何れの役物に第３アース部材６８を取付けてもよい。但し、第３アース部材６８を設ける役物としては、メッキ処理等が施されて導電性を備えていることが条件となる。
【図面の簡単な説明】
【００３３】
【図１】実施例に係る遊技機の外枠、中枠および前枠を示す分解図であって、外枠および中枠は正面から見た状態を示し、前枠は後面から見た状態を示す。
【図２】遊技機を後面側から見た全体図である。
【図３】中枠の右枠部材を示す斜視図である。
【図４】透明遊技盤の要部を示す分解斜視図である。
【図５】透明遊技盤の正面図である。
【図６】第３飾りを後面側から見た拡大図である。
【図７】透明遊技盤を示す右側面図であって、(ａ)は透明樹脂板および裏ユニットを切り離した状態を示し、(ｂ)は透明樹脂板および裏ユニットを組付けた状態を示す。
【図８】透明樹脂板を後面側から見た全体図である。
【図９】センター役物を後面側から見た全体斜視図である。
【図１０】第１アース部材および第２アース部材の接触状態を示す拡大横断面図であって、(ａ)は図１２のＸ(ａ)−Ｘ(ａ)断面で第１アース部材の前方接触部および外レールが接触した状態を示し、(ｂ)は図１２のＸ(ｂ)−Ｘ(ｂ)断面で第１アース部材、第２アース部材および軸受部が接触した状態を示す。
【図１１】裏ユニットを示す正面図である。
【図１２】透明遊技盤を後面側から見た全体図である。
【符号の説明】
【００３４】
１４ 中枠，１６ 透明遊技盤，３２ 右枠部材(側枠部材)
４０ 軸受部(被接触部)，４２ 透明樹脂板，４４ 裏ユニット
４８ 外レール，５０ 遊技領域，５８ 切欠部
６０ 第１アース部材，６０ａ 後方接触部，６０ｂ 前方接触部
６２ｃ 第３飾り(コーナー飾り)，６６ 第２アース部材
６６ａ 前方接触部，６６ｂ 後方接触部，６６ｃ 基部，６８ 第３アース部材
６８ａ 後方接触部，７０ 第４アース部材，７０ａ 前方接触部
７４ 前方保護壁，７６ 後方保護壁，８４ センター役物(役物)
【図１】
0005221924.tif 000002
【図２】
0005221924.tif 000003
【図３】
0005221924.tif 000004
【図４】
0005221924.tif 000005
【図５】
0005221924.tif 000006
【図６】
0005221924.tif 000007
【図７】
0005221924.tif 000008
【図８】
0005221924.tif 000009
【図９】
0005221924.tif 000010
【図１０】
0005221924.tif 000011
【図１１】
0005221924.tif 000012
【図１２】
0005221924.tif 000013